(57)【要約】  本発明は、ハンドルアセンブリ及びそれを含む吻合器を提供し、前記ハンドルアセンブリは、指針（４）と、第１ハンドル（１）及び第２ハンドル（２）と、スライド溝（１７）及びスライドブロック（３）と、を含み、スライド溝（１７）は、第１ハンドル（１）に位置し、指針（４）が第１位置領域から第２位置領域まで移動する場合、スライドブロック（３）をスライド溝（１７）の第１区間からスライド溝（１７）の第２区間へ移動させ、スライドブロック（３）がスライド溝（１７）の第１区間に位置し且つ第１ハンドル（１）が第１方向に沿って回転する場合、スライドブロック（３）は、第２ハンドル（２）に当接しなく、第２ハンドル（２）は、安全位置にあり、スライドブロック（３）がスライド溝（１７）の第２区間に位置し且つ第１ハンドル（１）が第１方向に沿って回転する場合、スライドブロック（３）は、前記第２ハンドル（２）を発射位置へ移動させる。本発明は、ハンドルアセンブリを第１ハンドル（１）と第２ハンドル（２）とに分割することにより、第２ハンドルの移動によってこそ、吻合器を発射して切断及び縫合動作を実行することができる。吻合器が発射可能な位置に到達したかどうかに関係なく、医師は、第１ハンドルを押すことができるが、吻合器が発射可能な位置に到達していない場合、第１ハンドルが第２ハンドルを駆動することがないので、吻合器を発射することもない。
2021506516.tif 000002
【特許請求の範囲】
【請求項１】
吻合器を発射するためのハンドルアセンブリであって、
第１位置領域と第２位置領域との間で移動可能な指針と、
第１ハンドル及び第２ハンドルと、
スライド溝及びスライドブロックと、を含み、
前記スライド溝は、互いに連通する第１区間及び第２区間を含み、前記スライド溝は、前記第１ハンドルに位置し、前記スライドブロックは、前記スライド溝で移動可能であり、前記指針が前記第１位置領域から第２位置領域まで移動する場合、前記スライドブロックを前記スライド溝の第１区間から前記スライド溝の第２区間へ移動させ、
前記スライドブロックが前記スライド溝の第１区間に位置し且つ前記第１ハンドルが第１方向に沿って回転する場合、前記スライドブロックは、前記第２ハンドルに当接しなく、前記第２ハンドルは、安全位置にあり、
前記スライドブロックが前記スライド溝の第２区間に位置し且つ前記第１ハンドルが第１方向に沿って回転する場合、前記スライドブロックは、前記第２ハンドルに当接して前記第２ハンドルを前記安全位置から発射位置へ移動させる
ことを特徴とするハンドルアセンブリ。
【請求項２】
前記指針は、プルタブの遠位端に連結され、プルタブの近位端は、スクリューに外嵌され、スクリューの遠位端には、ノブが設置され、ノブを回してプルタブを近位端へ移動させ、プルタブは、指針を第１位置領域から第２位置領域へ移動させることを特徴とする請求項１に記載のハンドルアセンブリ。
【請求項３】
前記第１ハンドルは、第１ピン軸を介して前記第２ハンドルに回転可能に連結され、前記第２ハンドルは、第２ピン軸を介して前記吻合器のハウジングに回転可能に連結されることを特徴とする請求項１に記載のハンドルアセンブリ。
【請求項４】
前記第１ピン軸及び第２ピン軸には、第１ねじりばね及び第２ねじりばねがそれぞれ外嵌され、前記第１ねじりばねの両端は、それぞれ前記第１ハンドル及び前記第２ハンドルに当接し、前記第２ねじりばねの両端は、それぞれ前記第２ハンドル及び前記吻合器のハウジングに当接することを特徴とする請求項３に記載のハンドルアセンブリ。
【請求項５】
スライドブロック復帰ばねをさらに含み、前記スライドブロックは、前記スライドブロック復帰ばねに作用力を加えて前記スライドブロック復帰ばねを変形状態にし、前記スライドブロック復帰ばねが変形状態から初期状態まで復帰する場合、前記スライドブロックを前記スライド溝の第２区間から前記スライド溝の第１区間へ移動させることを特徴とする請求項１に記載のハンドルアセンブリ。
【請求項６】
前記スライドブロック復帰ばねは、スライドブロック復帰ねじりばねであり、前記スライドブロック復帰ねじりばねの第１端及び第２端は、それぞれ前記スライドブロック及び前記第２ハンドルに当接することを特徴とする請求項５に記載のハンドルアセンブリ。
【請求項７】
前記第２ハンドルは、ハンドルガイド部を含み、前記スライドブロックは、スライド部及びスライドブロックガイド部を含み、前記スライド部は、前記スライド溝の内部で移動可能であり、
前記スライドブロックが前記スライド溝の第２区間に位置し且つ前記第１ハンドルが第１方向に沿って回転する場合、前記スライドブロックガイド部は、前記ハンドルガイド部に当接する
ことを特徴とする請求項１に記載のハンドルアセンブリ。
【請求項８】
前記ハンドルガイド部は、互いに隣接する第１ハンドルガイド面及び第２ハンドルガイド面を含み、前記スライドブロックガイド部は、ガイド区間を含み、前記ガイド区間は、互いに隣接する第１スライドブロックガイド面及び第２スライドブロックガイド面を含み、前記スライドブロックガイド部が前記ハンドルガイド部に当接する場合、前記第２スライドブロックガイド面は、前記第２ハンドルガイド面の位置に対応し且つ互いに平行であることを特徴とする請求項７に記載のハンドルアセンブリ。
【請求項９】
前記第２ハンドルガイド面は、前記スライド溝の長手方向と９０°未満の角度をなすことを特徴とする請求項８に記載のハンドルアセンブリ。
【請求項１０】
前記第２スライドブロックガイド面が前記第２ハンドルガイド面に当接し且つ前記第１ハンドルが第１方向に沿って回転する場合、前記第２スライドブロックガイド面は、前記第２ハンドルガイド面に推力Ｆを加え、推力Ｆは、互いに垂直な成分Ｆ１及び成分Ｆ２を含み、前記成分Ｆ１は、前記第２スライドブロックガイド面に垂直であり、且つ、Ｆ１×β＜Ｆ２であり、ここで、βは、前記第２スライドブロックガイド面と第２ハンドルガイド面との間の摩擦係数であることを特徴とする請求項９に記載のハンドルアセンブリ。
【請求項１１】
前記スライドブロックガイド部は、前記ガイド区間に隣接する連結区間をさらに含み、前記連結区間は、第３スライドブロックガイド面を含み、前記第３スライドブロックガイド面は、前記第２スライドブロックガイド面に隣接することを特徴とする請求項９に記載のハンドルアセンブリ。
【請求項１２】
前記第１ハンドルは、両側の側壁を有する第１キャビティを含み、前記第１キャビティの両側の側壁には、前記スライド溝がそれぞれ設置され、前記スライドブロックは、２つのスライド部及び前記スライドブロックガイド部を含み、前記２つのスライド部は、それぞれ前記スライド溝で移動可能であり、
前記スライドブロック部がそれぞれ対応するスライド溝の第１区間に位置し且つ前記第１ハンドルが第１方向に沿って回転する場合、前記第２ハンドルの少なくとも一部は、前記第１キャビティに進入し、
前記スライド部がそれぞれ対応するスライド溝の第２区間に位置し且つ前記第１ハンドルが第１方向に沿って回転する場合、前記スライドブロックガイド部は、前記第２ハンドルに当接して前記第２ハンドルが前記第１キャビティに進入し続けることを阻害する
ことを特徴とする請求項７に記載のハンドルアセンブリ。
【請求項１３】
前記第２ハンドルは、両側の側壁を有する第２キャビティを含み、前記ハンドルガイド部は、前記第２キャビティに位置し、且つ、前記ハンドルガイド部の幅は、前記スライドブロックガイド部の幅以下であることを特徴とする請求項１２に記載のハンドルアセンブリ。
【請求項１４】
前記スライドブロックは、ボスをさらに含み、前記ボスは、前記スライド部と前記スライドブロックガイド部との間に位置し、前記ボスの先端には、凹部が設置され、前記凹部の内面と前記第２ハンドルとの間には、スライドブロック復帰ねじりばねが設置されることを特徴とする請求項１２に記載のハンドルアセンブリ。
【請求項１５】
請求項１から請求項１４のうちいずれか１項に記載のハンドルアセンブリを含むことを特徴とする吻合器。
【発明の詳細な説明】
【技術分野】
【０００１】
本発明は、医療器具技術分野、特に、吻合器技術分野に関し、具体的に、ハンドルアセンブリ及びそれを含む吻合器に関する。
【背景技術】
【０００２】
消化管腫瘍は、発症率の高いヒト疾患の一つである。治療過程において、消化管などの生理学的組織を吻合するために、医師の手動操作の代わりに円形吻合器が一般的に使用されている。円形吻合器は、よく見かける外科手術器具であり、軸方向内向きに綴じるという方式を多く使用しており、手術時に食道、胃、腸管などの生理学的組織の端々又は端側吻合を行い、吻合時に２つの組織セグメントを吻合器に収容し、発射を完了した後、組織に円形の吻合口を形成し、組織チャネルを再構築する。
【０００３】
従来技術では、円形吻合器は、吻合器本体と、前記吻合器本体に移動可能に連結されるハンドルアセンブリと、前記本体と嵌合するステープルアンビルアセンブリとを含む。前記吻合器本体は、遠位端に設置され、環状ステープルカートリッジ及びカッターを含むステープルカートリッジアセンブリと、本体の近位端に設置され、本体に対して回転可能なノブと、を含む。ここで、遠位端及び近位端は、操作者のいる位置によるものであり、操作者に近い一端が近位端であり、操作者から遠い一端、即ち手術位置により近い一端が遠位端である。前記ステープルアンビルアセンブリは、ステープルアンビルと、ステープルアンビルの頂部に設置されるステープルアンビルキャップと、ステープルアンビルの内部に設置されるナイフアンビルと、吻合器本体に着脱可能に連結されるステープルアンビル軸と、を含む。手術中、腫瘍組織を取り除いた後、ステープルアンビル軸を組織の一端の巾着に通過させ、吻合器本体の遠位端に配置させ、ノブを回して、ステープルアンビルとステープルカートリッジとの間の距離を適切な距離まで徐々に減少して発射可能な状態に到達してこそ、ハンドルを把持して器具を発射し、これにより、吻合を完了することができる。医療器具の不断の発展に伴い、円形吻合器は、痔などの疾患の治療にもますます広く使用されている。
【０００４】
同時に、泌尿器科分野における過長包皮及び包茎を治療するための手術において、他の形態の円形吻合器、即ち包皮吻合器も登場した。包皮吻合器も従来技術に記載されており、その構造は、前記本体と嵌合するものが亀頭キャップアセンブリである以外に、上記の消化管用円形吻合器と類似する。同様に、前記亀頭キャップアセンブリは、ステープルアンビルと、ステープルアンビルに固定して連結される亀頭キャップ及びナイフアンビルと、吻合器本体に着脱可能に連結される中央ロッドと、を含む。手術中、切除される包皮組織を亀頭キャップに固定し、その後、中央ロッドを吻合器本体の遠位端に配置し、ノブを回して、亀頭キャップとステープルカートリッジとの間の距離を適切な距離まで徐々に減少して発射可能な状態に到達してこそ、ハンドルを把持して器具を発射し、これにより、吻合を完了することができる。
【０００５】
技術の発展に伴い、既に円形吻合器の発射伝動機構を改善し、安全メカニズムを追加し、吻合器が発射可能な状態に到達していない場合、安全メカニズムの作用によって、医師は、ハンドルを押してもハンドルを動かすことができなく、これにより、器具の発射による手術の失敗ことを回避する。しかしながら、実際の状況において、医師の使用体験が高くないなどの一部の欠陥が依然として存在し、また、医師がハンドルを強く押すと、吻合器のハウジングの破断を招く可能性がある。
【発明の概要】
【発明が解決しようとする課題】
【０００６】
本発明は、従来技術における問題に鑑みて、吻合器が発射可能な位置に到達したかどうかに関係なく、医師は、第１ハンドルを押すことができるが、吻合器が発射可能な位置に到達していない場合、第１ハンドルが第２ハンドルによって吻合器を発射することがないので、ハンドルを強く押すことによる吻合器の損傷を回避することができるハンドルアセンブリ及びそれを含む吻合器を提供することを目的とする。
【課題を解決するための手段】
【０００７】
本発明の実施例は、吻合器を発射するためのハンドルアセンブリを提供し、前記ハンドルアセンブリは、第１位置領域と第２位置領域との間で移動可能な指針と、第１ハンドル及び第２ハンドルと、スライド溝及びスライドブロックと、を含み、前記スライド溝は、互いに連通する第１区間及び第２区間を含み、前記スライド溝は、前記第１ハンドルに位置し、前記スライドブロックは、前記スライド溝で移動可能であり、前記指針が前記第１位置領域から第２位置領域まで移動する場合、前記スライドブロックを前記スライド溝の第１区間から前記スライド溝の第２区間へ移動させ、前記スライドブロックが前記スライド溝の第１区間に位置し且つ前記第１ハンドルが第１方向に沿って回転する場合、前記スライドブロックは、前記第２ハンドルに当接しなく、前記第２ハンドルは、安全位置にあり、前記スライドブロックが前記スライド溝の第２区間に位置し且つ前記第１ハンドルが第１方向に沿って回転する場合、前記スライドブロックは、前記第２ハンドルに当接して前記第２ハンドルを前記安全位置から発射位置へ移動させる。
【０００８】
選択的に、前記指針は、プルタブの遠位端に連結され、プルタブの近位端は、スクリューに外嵌され、スクリューの遠位端には、ノブが設置され、ノブを回してプルタブを近位端へ移動させ、プルタブは、指針を第１位置領域から第２位置領域へ移動させる。
【０００９】
選択的に、前記第１ハンドルは、第１ピン軸を介して前記第２ハンドルに回転可能に連結され、前記第２ハンドルは、第２ピン軸を介して前記吻合器のハウジングに回転可能に連結される。
【００１０】
選択的に、前記第１ピン軸及び第２ピン軸には、第１ねじりばね及び第２ねじりばねがそれぞれ外嵌され、前記第１ねじりばねの両端は、それぞれ前記第１ハンドル及び前記第２ハンドルに当接し、前記第２ねじりばねの両端は、それぞれ前記第２ハンドル及び前記吻合器のハウジングに当接する。
【００１１】
選択的に、スライドブロック復帰ばねをさらに含み、前記スライドブロックは、前記スライドブロック復帰ばねに作用力を加えて前記スライドブロック復帰ばねを変形状態にし、前記スライドブロック復帰ばねが変形状態から初期状態まで復帰する場合、前記スライドブロックを前記スライド溝の第２区間から前記スライド溝の第１区間へ移動させる。
【００１２】
選択的に、前記スライドブロック復帰ばねは、スライドブロック復帰ねじりばねであり、前記スライドブロック復帰ねじりばねの第１端及び第２端は、それぞれ前記スライドブロック及び前記第２ハンドルに当接する。
【００１３】
選択的に、前記第２ハンドルは、ハンドルガイド部を含み、前記スライドブロックは、スライド部及びスライドブロックガイド部を含み、前記スライド部は、前記スライド溝の内部で移動可能であり、前記スライドブロックが前記スライド溝の第２区間に位置し且つ前記第１ハンドルが第１方向に沿って回転する場合、前記スライドブロックガイド部は、前記ハンドルガイド部に当接する。
【００１４】
選択的に、前記ハンドルガイド部は、互いに隣接する第１ハンドルガイド面及び第２ハンドルガイド面を含み、前記スライドブロックガイド部は、ガイド区間を含み、前記ガイド区間は、互いに隣接する第１スライドブロックガイド面及び第２スライドブロックガイド面を含み、前記スライドブロックガイド部が前記ハンドルガイド部に当接する場合、前記第２スライドブロックガイド面は、前記第２ハンドルガイド面の位置に対応し且つ互いに平行である。
【００１５】
選択的に、前記第２ハンドルガイド面は、前記スライド溝の長手方向と９０°未満の角度をなす。
【００１６】
選択的に、前記第２スライドブロックガイド面が前記第２ハンドルガイド面に当接し且つ前記第１ハンドルが第１方向に沿って回転する場合、前記第２スライドブロックガイド面は、前記第２ハンドルガイド面に推力Ｆを加え、推力Ｆは、互いに垂直な成分Ｆ１及び成分Ｆ２を含み、前記成分Ｆ１は、前記第２スライドブロックガイド面に垂直であり、且つ、Ｆ１×β＜Ｆ２であり、ここで、βは、前記第２スライドブロックガイド面と第２ハンドルガイド面との間の摩擦係数である。
【００１７】
選択的に、前記スライドブロックガイド部は、前記ガイド区間に隣接する連結区間をさらに含み、前記連結区間は、第３スライドブロックガイド面を含み、前記第３スライドブロックガイド面は、前記第２スライドブロックガイド面に隣接する。
【００１８】
選択的に、前記第１ハンドルは、両側の側壁を有する第１キャビティを含み、前記第１キャビティの両側の側壁には、前記スライド溝がそれぞれ設置され、前記スライドブロックは、２つのスライド部及び前記スライドブロックガイド部を含み、前記２つのスライド部は、それぞれ前記スライド溝で移動可能であり、前記スライドブロック部がそれぞれ対応するスライド溝の第１区間に位置し且つ前記第１ハンドルが第１方向に沿って回転する場合、前記第２ハンドルの少なくとも一部は、前記第１キャビティに進入し、前記スライド部がそれぞれ対応するスライド溝の第２区間に位置し且つ前記第１ハンドルが第１方向に沿って回転する場合、前記スライドブロックガイド部は、前記第２ハンドルに当接して前記第２ハンドルが前記第１キャビティに進入し続けることを阻害する。
【００１９】
選択的に、前記第２ハンドルは、両側の側壁を有する第２キャビティを含み、前記ハンドルガイド部は、前記第２キャビティに位置し、且つ、前記ハンドルガイド部の幅は、前記スライドブロックガイド部の幅以下である。
【００２０】
選択的に、前記スライドブロックは、ボスをさらに含み、前記ボスは、前記スライド部と前記スライドブロックガイド部との間に位置し、前記ボスの先端には、凹部が設置され、前記凹部の内面と前記第２ハンドルとの間には、スライドブロック復帰ねじりばねが設置される。
【００２１】
本発明の実施例は、前記ハンドルアセンブリを含むことを特徴とする吻合器をさらに提供する。
【発明の効果】
【００２２】
本発明に提供されるハンドルアセンブリ及びそれを含む吻合器は、以下の利点を有する。
【００２３】
本発明は、ハンドルアセンブリを第１ハンドルと第２ハンドルとに分割することにより、第２ハンドルの移動によってこそ、吻合器を発射して切断及び縫合動作を実行することができる。使用の過程において、吻合器が発射可能な位置に到達したかどうかに関係なく、医師は、第１ハンドルを押すことができるが、吻合器が発射可能な位置に到達していない場合、第１ハンドルが第２ハンドルを駆動することがないので、吻合器を発射することもなく、医師は、操作体験を通じて発射状態を判断することもでき、吻合器が発射可能な位置に到達してこそ、第１ハンドルの移動によって第２ハンドルを移動させ、さらに吻合器を発射し、これにより、ハンドルを強く押すことによる吻合器の損傷を回避し、医師の使用体験を向上させることができる。
【図面の簡単な説明】
【００２４】
以下の図面を参照しながら非限定的な実施例に対する詳細な説明から、本発明の他の特徴、目的及び利点がさらに明らかとなる。
【図１】本発明の一実施例に係るハンドルアセンブリが吻合器に使用される構造を示す模式図である。
【図２】本発明の一実施例に係る円形吻合器の構造を示す模式図である。
【図３】本発明の一実施例に係るハンドルアセンブリが包皮吻合器に使用される構造を示す模式図である。
【図４】図１におけるＡ−Ａ方向に沿う断面図である。
【図５】本発明の一実施例に係るスライドブロックの構造を示す模式図である。
【図６】本発明の一実施例に係るスライドブロックがスライド溝の第１区間に位置する場合におけるハンドルアセンブリの構造を示す模式図である。
【図７】本発明の一実施例に係るスライドブロックがスライド溝の第２区間に位置する場合におけるハンドルアセンブリの構造を示す模式図である。
【図８】本発明の一実施例に係る第２ハンドルの構造を示す模式図である。
【図９】本発明の一実施例に係るスライドブロックがスライド溝の第１区間に位置する場合における第２ハンドルとスライドブロックとの組み合わせの構造を示す模式図である。
【図１０】本発明の一実施例に係るスライドブロックがスライド溝の第１区間に位置し且つ第１ハンドルが回転していない場合におけるハンドルアセンブリの構造を示す模式図である。
【図１１】本発明の一実施例に係るスライドブロックがスライド溝の第１区間に位置し且つ第１ハンドルが回転している場合におけるハンドルアセンブリの構造を示す模式図である。
【図１２】本発明の一実施例に係るスライドブロックがスライド溝の第２区間の２つの位置に位置する模式図である。
【図１３】図１２におけるスライド溝及びスライドブロック部分の拡大図である。
【図１４】本発明の一実施例に係るスライドブロックがスライド溝の第２区間のより近い位置に位置し且つ第１ハンドルが回転していない場合におけるハンドルアセンブリの構造を示す模式図である。
【図１５】図１４における第２ハンドルとスライドブロックとの組み合わせの部分の構造を示す模式図である。
【図１６】本発明の一実施例に係るスライドブロックがスライド溝の第２区間のより近い位置に位置し且つ第１ハンドルが回転している場合におけるハンドルアセンブリの構造を示す模式図である。
【図１７】本発明の一実施例に係るスライドブロックがスライド溝の第２区間のより近い位置に位置し且つ指針が復帰した場合におけるハンドルアセンブリの構造を示す模式図である。
【図１８】本発明の一実施例に係るスライドブロックがスライド溝の第２区間のより遠い位置に位置し且つ第１ハンドルが回転していない場合におけるハンドルアセンブリの構造を示す模式図である。
【図１９】本発明の図１８における第２ハンドルとスライドブロックとの組み合わせの部分の構造を示す模式図である。
【図２０】本発明の一実施例に係るスライドブロックがスライド溝の第２区間のより遠い位置に位置し且つ第１ハンドルが回転している場合におけるハンドルアセンブリの構造を示す模式図である。
【図２１】本発明の一実施例に係るスライドブロックがスライド溝の第２区間のより遠い位置に位置し且つ指針が復帰した場合におけるハンドルアセンブリの構造を示す模式図である。
【発明を実施するための形態】
【００２５】
次に、添付の図面を参照して、例示的な実施形態をより完全に説明する。ただし、例示的な実施形態は、複数種類の形態で実施することができ、ここに記述する実施形態に限定されない。逆に、これらの実施形態を提供して、本発明を全面で完全に、かつ、例示的な実施形態の思想を全面で当業者に伝達する。図中の同一の参照番号は同一又は類似の構造を示し、したがって、それらの繰り返しの説明は省略する。
【００２６】
図１に示すように、上記の目的を達成するために、本発明の一実施例は、吻合器を発射するためのハンドルアセンブリを提供し、本発明は、ハンドルアセンブリ（図１において、明確に示すために、ハンドルアセンブリのハウジングは省略される）を第１ハンドル１と第２ハンドル２に分割し、且つ、第２ハンドル２が回転する場合のみに吻合器を発射することができ、さらに第１ハンドル１と第２ハンドル２の相対的移動を制御するための指針４を設置する。ここで、
指針４には、第１端４１、第２端４２及び固定端が設置され、指針４の第２端４２は、プルタブの遠位端と連動し、プルタブの近位端は、スクリューに外嵌させ、スクリューの近位端は、ノブに連結される。ノブを回すことにより、プルタブは、指針の第２端４２を第１位置領域と第２位置領域との間で移動させることができ、ここで、吻合器本体における第１位置領域及び第２位置領域に対応する位置には、使用の過程において指針の第２端４２が所在する位置を観察するための観察窓が設置され、指針の第２端４２が第１位置領域に位置する場合、安全状態にあり、この時、吻合器を発射することができなく、指針の第２端４２が第２位置領域に位置する場合、吻合器を発射することができ、医者により直感的な提示を与えるために、観察窓における発射可能な第２位置領域Ｌに対応する領域は、既に従来技術に開示された緑色領域である。
【００２７】
第１ハンドル１には、スライド溝１７及びスライドブロック３が設置され、スライド溝１７は、互いに連通する第１区間及び第２区間を含み、スライドブロック３は、スライド溝１７で移動可能である。指針４の第２端４２が第１位置領域から第２位置領域まで移動する場合、スライドブロック３をスライド溝１７の第１区間からスライド溝１７の第２区間へ移動させ、ここで、指針４がスライドブロック３を移動させることは、指針４がスライドブロック３を直接的に押す（引く）か、又はスライドブロックを間接的に押す（引く）ことを意味し、例えば、指針４とスライドブロック３との間に、指針４の移動をスライドブロック３に伝達するための伝動ロッド又は他の種類の伝動機構を設置してもよく、すべてが本発明の保護範囲に属する。
【００２８】
スライドブロック３がスライド溝１７の第１区間に位置し且つ第１ハンドル１が把持されて第１方向に沿って回転する場合、スライドブロック３は、移動の過程において第２ハンドル２に当接しなく、第２ハンドル２は、安全位置にあり、スライドブロック３がスライド溝１７の第２区間に位置し且つ第１ハンドル１の第１方向に沿う回転に伴ってスライド溝１７が移動する場合、スライドブロック３は、第２ハンドル２に当接して第２ハンドル２を安全位置から発射位置へ移動させる。この実施例において、第１方向は、図面におけるハンドルが反時計回りに把持される方向である。
【００２９】
指針４の第２端４２が第１位置領域及び第２位置領域に位置する場合、第１ハンドル１の移動の第２ハンドル２への影響は異なる。指針４の第２端４２が第１位置領域に位置する場合、スライドブロック３がスライド溝１７の第１区間に位置するので、スライドブロック３は、移動の過程において第２ハンドル２と接触しなく、第２ハンドル２に作用力を加えることもなく、第２ハンドル２は、依然として初期の安全状態を維持し、発射されない。指針４が第２位置領域に位置する場合、スライドブロック３がスライド溝１７の第２区間に位置するので、第１ハンドル１が把持されて反時計回りに回転する過程において、スライドブロック３は、第２ハンドル２を移動させるとともに、第２ハンドル２を発射位置に押す。このため、指針４の位置を変更することにより、第１ハンドル１と第２ハンドル２との相互嵌合を制御することができる。
【００３０】
つまり、吻合器への発射の準備ができていない場合、指針４の第２端４２は、第１位置領域に位置し、この時、医師が第１ハンドル１を把持すると、第１ハンドル１を容易に回転させることができるが、第２ハンドル２を発射することがなく、これは、この時に空の発射状態であり、第１ハンドルを把持する力が非常に小さいからである。医師は、このような操作体験により、現在の吻合器が非発射状態にあり、且つ、吻合器のハウジングの破断を招くことがないことを知ることもできる。吻合器への発射の準備ができている場合、指針４は、第２位置領域にあり、この時、医師は、第１ハンドル１を把持し、第１ハンドル１の移動により第２ハンドル２を移動させ、さらに吻合器を発射する。
【００３１】
なお、本発明における前記スライド溝１７の第１区間及び第２区間は、相対的な概念であり、即ち、図面に示される視野角から、スライド溝１７の第１区間は、スライド溝１７の第２区間の右側に位置する。
【００３２】
図２に示すように、本発明の一実施例に係るハンドルアセンブリが吻合器に使用される構造を示す模式図である、この図には、円形吻合器が示されている。当該吻合器の一端は、互いに嵌合するステープルカートリッジアセンブリ５２及びステープルアンビルアセンブリ５３を含み、その他端は、ノブ５１及びハンドルアセンブリを含み、第２ハンドル２の第２端は、ステープル押込ロッド５５の近位端と嵌合する。吻合器が発射条件を満たす場合、第２ハンドルは、ステープル押込ロッド５５を押し、ステープル押込ロッド５５は、さらに吻合器のステープル押込スライス及び環状カッターを押し、手術を行う組織を縫合及び切断する。ここで、図２に示される吻合器の構造は、一例に過ぎず、実際の応用において、他の種類の吻合器は、本発明の実施例に係るハンドルアセンブリを使用して本発明の目的を達成することもできる。例えば、図３に示すように、このハンドルアセンブリを適用した包皮吻合器本体９の構造を示している。包皮吻合器本体９の遠位端は、ステープルカートリッジアセンブリ９１を含み、また、ステープルカートリッジアセンブリ９１と嵌合する亀頭キャップアセンブリ（図示せず）がさらに設置される。包皮吻合器を使用する場合、第２ハンドル２は、包皮吻合器の一端に移動可能に連結され、第２ハンドル２の第２端は、包皮吻合器のステープル押込部材と嵌合し、発射条件を満たす場合、第２ハンドル２は、ステープル押込部材を押し、包皮吻合器の発射を実現する。
【００３３】
図４に示すように、第１ハンドル１の第１端１１は、医師が手術時に操作するための把持部である。第１ハンドル１の第２端１２は、第１ピン軸１４を介して第２ハンドル２の第１端２１に回転可能に連結されてもよく、第２ハンドル２の第２端２２は、第２ピン軸２４を介して吻合器のハウジング５４に回転可能に連結されてもよい。さらに、第１ハンドル１と第２ハンドル２との間には、第１ピン軸１４に外嵌される第１ねじりばね１５がさらに設置され、第２ハンドル２と吻合器のハウジング５４との間には、第２ピン軸２４に外嵌される第２ねじりばね２５がさらに設置される。このため、スライドブロック３がスライド溝１７の第１区間に位置する場合、器具は、安全状態にあり、第１ハンドル１は、操作者からの小さな把持力を受けると、第１ピン軸１４回りに回転でき、また、外力が解放されると、第１ねじりばね１５により時計回りに初期位置まで復帰でき、この時、第２ハンドル２は、回転しない。スライドブロック３がスライド溝１７の第２区間に位置する場合、第１ハンドル１の回転により第２ハンドル２を回転させ、第２ハンドル２を第２ピン軸２４回りに回転させ、また、外力が解放されると、第２ねじりばね２５により時計回りに元の状態まで復帰させる。
【００３４】
さらに、このハンドルアセンブリには、スライドブロック復帰ばねがさらに設置され、スライドブロック３は、スライドブロック復帰ばねに作用力を加えてスライドブロック復帰ばねを変形状態にし、スライドブロック復帰ばねが変形状態から初期状態まで復帰する場合、スライドブロック３は、スライド溝の第２区間からスライド溝１７の第１区間へ移動する。図４に示すように、このスライドブロック復帰ばねは、スライドブロック復帰ねじりばね１６であってもよく、スライドブロック復帰ねじりばね１６の第１端及び第２端は、それぞれスライドブロック３及び第２ハンドル２に当接する。このため、スライドブロック３がスライド溝１７の第１区間から第２区間へ移動する場合、スライドブロック３は、スライドブロック復帰ねじりばね１６の第１端を押してこのねじりばねを変形させ、スライドブロック３から外力が解放されると、スライドブロック３は、スライドブロック復帰ねじりばね１６の復元力によって、スライド溝１７の第１区間に戻る。さらに、スライドブロック復帰ばねは、引張ばね、圧縮ばねなどであってもよい。
【００３５】
以下、図５〜図９を組み合わせて本実施例におけるスライドブロックの構造を具体的に説明する。スライドブロックは、スライド部３１及びスライドブロックガイド部３２を含みことができ、スライド部３１は、スライド溝１７の内部で移動可能であり、第２ハンドル２には、ハンドルガイド部２６が設置される。スライドブロック３がスライド溝１７の第２区間に位置し且つ第１ハンドル１が把持されて回転する場合、スライドブロックガイド部３２は、ハンドルガイド部２６に当接する。
【００３６】
この実施例において、第１ハンドル１は、両側の側壁を有する第１キャビティ１３を含むことができ、第１キャビティ１３の両側の側壁には、スライド溝１７がそれぞれ設置され、これに対応して、スライドブロック３は、２つのスライド部３１を含み、２つのスライド部３１は、それぞれ２つのスライド溝１７に埋め込まれ、且つ、スライド部３１は、それぞれ対応するスライド溝１７で移動可能である。
【００３７】
スライドブロック部３１がそれぞれ対応するスライド溝１７の第１区間に位置し且つ第１ハンドル１が把持されて反時計回りに回転する場合、第２ハンドル２の少なくとも一部は、第１キャビティ１３に進入する。これにより、第１ハンドル１の移動により第２ハンドル２を移動させることができない。スライド部３１がそれぞれ対応するスライド溝１７の第２区間に位置し且つ第１ハンドル１が把持されて反時計回りに回転する場合、スライドブロックガイド部３２は、ハンドルガイド部２６に当接する。これにより、第１ハンドル１の移動により第２ハンドル２を移動させ、第２ハンドルが作用力によって発射動作を完了するようにする。
【００３８】
さらに、第２ハンドル２は、両側の側壁を有する第２キャビティ２３を含むことができ、ハンドルガイド部２６は、第２キャビティ２３に位置し、且つ、ハンドルガイド部２６の幅は、スライドブロックガイド部３２の幅以下である。ここで、ハンドルガイド部２６の幅とは、第１キャビティ１３の側壁に垂直な方向の長さを指し、スライドブロックガイド部３２の幅とは、このスライドブロックガイド部３２の第１キャビティ１３の側壁に垂直な方向の長さを指すが、これに限定されない。
【００３９】
さらに、スライドブロック３は、ボス３３をさらに含むことができ、ボス３３は、スライド部３１とスライドブロックガイド部３２との間に位置し、ボス３３の先端には、凹部３３１が設置され、凹部３３１の内面と第１ハンドル１との間には、上記のスライドブロック復帰ねじりばね１６が設置される。
【００４０】
図９に示すように、ハンドルガイド部２６は、互いに隣接する第１ハンドルガイド面２６１及び第２ハンドルガイド面２６２を含み、スライドブロックガイド部３２は、ガイド区間、即ち図の左側において斜面を有する部分を含み、ガイド区間は、互いに隣接する第１スライドブロックガイド面３２１及び第２スライドブロックガイド面３２２を含み、指針の作用によってスライドブロックガイド部３２がハンドルガイド部２６に当接する場合、第２スライドブロックガイド面３２２は、第２ハンドルガイド面２６２の位置に対応し且つ互いに平行である。ここで、位置に対応することは、スライドブロック３がスライド溝１７の第２区間に位置し且つ第１ハンドル１が反時計回りに回転する場合、スライド溝１７の移動方向における第２スライドブロックガイド面３２２及び第２ハンドルガイド面２６２の投影が重なり、即ち、第２スライドブロックガイド面３２２が第２ハンドルガイド面２６２に当接することを意味し、第２スライドブロックガイド面３２２は、第２ハンドルガイド面２６２に作用力を加え、相互作用力によって、スライドブロック３がさらにスライド溝１７の第２区間へ移動する傾向があるので、スライドブロック３と第２ハンドル２との間より確実な噛合を取得し、さらに第２ハンドルを押して移動させる。
【００４１】
選択的に、スライドブロックガイド部３２がハンドルガイド部２６と噛合するように見えるが非噛合状態であるという不明瞭な場合を回避するために、この実施例において、相対的な斜面ガイド機構をさらに追加する。第２ハンドルガイド面２６２は、スライド溝１７の長手方向と９０°未満の角度をなす。即ち、第２ハンドルガイド面２６２は、図に示すように斜面である。第２ハンドルガイド面２６２が第２スライドブロックガイド面３２２に当接する場合、第２ハンドルガイド面２６２と第２スライドブロックガイド面３２２との間の相対的な移動をガイドし、両者の接触面積を増加させることができるとともに、両者が完全に貼合される場合、それらの接触面積は、２つの平面より大きくなり、これにより、条件を満たす場合、第１ハンドルの移動によって第２ハンドルをより安定して確実に押す。
【００４２】
さらに、第２ハンドルガイド面２６２と第２スライドブロックガイド面３２２との間の摩擦力は、第２ハンドルガイド面２６２と第２スライドブロックガイド面３２２との間のスライドを阻害しない。即ち、第２スライドブロックガイド面３２２が第２ハンドルガイド面２６２に当接し且つ第１ハンドル１が反時計回りに回転する場合、第２スライドブロックガイド面３２２は、第２ハンドルガイド面２６２に推力Ｆを加え、推力Ｆは、互いに垂直な成分Ｆ１及び成分Ｆ２を含み、成分Ｆ１は、第２スライドブロックガイド面に垂直であり、且つＦ１×β＜Ｆ２であり、ここで、βは、第２スライドブロックガイド面３２２と第２ハンドルガイド面２６２との間の摩擦係数である。
【００４３】
この実施例におけるスライドブロックガイド部３２及びハンドルガイド部２６の構造を使用する場合、両者がポイントツーポイントであり、ポイントツーポイントの衝突確率が非常に小さくて無視できるので、接触後、完全に噛合し又は完全に離脱するという２つの状態のみが存在する。
【００４４】
さらに、選択的に、スライドブロックガイド部３２は、ガイド区間に隣接する連結区間、即ち図の右側においてプラットフォームと類似した部分をさらに含むが、実際の応用において、プラットフォームの形状でなくてもよい。プラットフォーム部分の作用は、ガイド区間の強度を向上させるとともに両側のスライド部３１を連結することである。連結区間は、前記第２スライドブロックガイド面３２２に隣接する第３スライドブロックガイド面３２３を含む。
【００４５】
この実施例において、スライドブロックガイド部３２及びハンドルガイド部２６の構造及び傾斜角度などは、具体的な選択可能な実施形態に過ぎず、実際の応用において、他の構造を使用してもよく、例えば、第２スライドブロックガイド面３２２及び第２ハンドルガイド面２６２がスライド溝の延在方向と平行であるように設置されるという構成などは、いずれも本発明の保護範囲に属する。
【００４６】
以下、図９〜図１１を組み合わせてスライドブロック３がスライド溝１７の第１区間に位置する場合における第１ハンドルの移動過程を説明する。ここで、図９〜１１において、第１ハンドル１は回転しない。図１１において、第１ハンドル１は把持されて回転する。
【００４７】
図１０に示すように、指針４は、固定端を介して吻合器のハウジングの内部に回転可能に固定され、指針４の第２端４２が第１位置領域と第２位置領域との間で移動する場合、指針４の第１端４１もそれに伴って移動する。なお、初期位置の場合、スライドブロック３は、スライドブロックねじりばね１６の作用によって、スライド溝の第１区間の第２区間から離れた端部、即ち図示した右端の位置に位置する。勿論、指針４の第１端４１によりスライドブロック３の初期位置を制限することもできる。図１０から分かるように、ノブの回転に伴って、プルタブは、指針の第２端に引張力を加え、プルタブの作用によって指針４の第２端４２が第１位置領域に位置する場合、指針４の第１端は、徐々にスライドブロック３をスライド溝１７の第１区間で第２区間に向かって移動させるが、スライド溝の第２区間に進入させない。スライドブロック３は、スライド溝１７の第１区間、即ち図におけるスライド溝１７の右端に位置し、この時、第１ハンドル１は回転しない。図１１は、第１ハンドル１が回転した後の状態である。しかし、この時、ハンドルガイド部２６は、スライドブロックガイド部３２に当接しなく、即ち、スライドブロック３により第１ハンドル１を第２ハンドル２と連動させることがなく、第２ハンドル２は、第１キャビティ１３に部分的に進入するが、第２ハンドル２自体の位置は変化しなく、即ち、使用者の第１ハンドル１への把持力により第２ハンドルを駆動して回転させることがないので、第２ハンドル２は、依然として初期の安全位置にあり、吻合器を発射しない。第１ねじりばね１５のねじり力が発射力よりもはるかに小さいので、この時の圧力は、第１ねじりばね１５に打ち勝つ力に過ぎず、医師は、依然として第１ハンドル１を押すことができるものの、第２ハンドル２を移動させることがなく、さらに吻合器を発射することもなく、同時に、医師は、触覚フィードバックを取得することもでき、現在の指針４が発射可能な領域に到達しなくて発射しないことを知っている。
【００４８】
以下、図１２〜図２１を組み合わせてスライドブロック３がスライド溝１７の第２区間に位置する場合における第１ハンドルの移動過程をさらに説明する。ここで、図１２〜１３は、この実施例に係るスライドブロック３がスライド溝１７の第２区間の２つの位置に位置する模式図である。
【００４９】
即ち、この実施例において、スライドブロック３がスライド溝１７の第２区間（即ち、図におけるスライド溝１７の左端）に位置することは、２つの場合が存在する。１つは、スライドブロック３がスライド溝１７の第２区間のより近い位置に位置し、即ち図１３において右側に偏ったスライドブロックであり、スライド部３１がスライド溝１７の第２端の端面からなお一定の距離を有し、もう１つは、スライドブロック３がスライド溝１７の第２区間のより遠い位置に位置し、即ち、図１３において左側に偏ったスライドブロックであり、スライド部がほとんどスライド溝１７の第２端の端面に密着する。この実施例において、このような２つの場合には、第１ハンドル１と第２ハンドル２との連動を実現することができ、また、第１の場合と第２の場合との間の状態では、第１ハンドル１と第２ハンドル２との連動を実現することもでき、これにより、操作時に医師の発射可能な領域を増加させるとともに、発射の過程における安定性をさらに向上させ、また、医師の操作の難しさをある程度低下させる。しかし、ここでは一実施形態に過ぎず、実際の応用において、スライド溝１７の左側の端面を右側へ引っ込めることにより第１の場合のみが存在することも可能であり、すべてが本発明の保護範囲に属する。
【００５０】
図１４に示すように、指針４は、プルタブの作用によって回転し、指針４の第２端４２は、第２位置領域Ｌに進入し始め、スライドブロック３は、スライド溝１７の第２区間のより近い位置に位置し、且つ、第１ハンドル１は回転しない。この時、ノブを回し続けると、プルタブは、指針４の第１端４１がスライドブロック３を押してスライド溝１７に沿って左側へ移動させるように駆動し続け、これに応じて、ステープルアンビルとステープルカートリッジとの間の距離も徐々に小さくなる。それに伴って、図１５に示すように、スライド溝１７の移動方向におけるスライドブロックガイド部３２及びハンドルガイド部２６の投影が重なる部分は、徐々に大きくなり、これにより、第１ハンドル１と第２ハンドル２との間のより確実な連結を得る。図１６に示すように、スライドブロック３の作用によって、第１ハンドル１と第２ハンドル２との間で連動関係を形成し、第１ハンドル１を把持する場合、第１ハンドル１の回転により第２ハンドル２を安全位置から発射位置まで回転させ、第２ハンドル２の第２端は、吻合器の発射ブロック５５と接触し、これにより、吻合器の発射を完了する。発射の過程において、第１ハンドル１の第２端は、回転中にプルタブに突き当て、プルタブを突き上げて、指針４から離脱させ、指針４は、指針復帰機構の作用によって復帰する。
【００５１】
発射を完了した後、第１ハンドル１が復帰しないが指針４が復帰した場合、即ち、使用者が依然として把持状態を維持する場合、ハンドルアセンブリの構造は、図１７に示す通りである。この時、指針４の第２端４２は、第１位置領域まで復帰する。ハンドルガイド部２６のスライドブロックガイド部３２に対する制限によって、スライドブロック３は、依然として復帰しない。この時、第１ハンドル１を離すと、第１ハンドル１が元の位置まで回転した後、スライドブロック３は、スライドブロック復帰ねじりばね１６の作用によってスライド溝１７の第１区間に戻ることができ、第２ハンドルも第２ねじりばね２５の復元力によって時計回りに回転して安全位置に戻る。
【００５２】
図１８に示すように、スライドブロックがスライド溝１７の第２区間のより遠い位置に位置し且つ第１ハンドル１が回転しない場合、指針４の第２端４２は、第２位置領域Ｌに進入し、且つ図１４における指針４の第２端４２の位置よりも右側に偏り、指針４の第１端４１もさらに左側に偏り、これにより、スライドブロック３を押してスライド溝１７の第２端の端面にさらに近接させる。図１９に示すように、スライド溝１７の移動方向におけるスライドブロックガイド部３２及びハンドルガイド部２６の投影が重なる部分は、より多くなり、第１ハンドル１と第２ハンドル２との連結は、より確実になる。
【００５３】
図２０に示すように、第１ハンドル１の回転に伴って、第１ハンドル１と第２ハンドル２との間のスライドブロック３による連動関係によって、第１ハンドル１の回転により第２ハンドル２を安全位置から発射位置まで回転させ、第２ハンドル２の第２端は、吻合器の発射ブロック５５と接触し、これにより、吻合器の発射を完了する。
【００５４】
発射を完了した後、第１ハンドル１が復帰しないが指針４が復帰した場合、ハンドルアセンブリの構造は、図２１に示す通りである。その過程は、指針４が緑色領域に進入し始める時の状態と同一であり、ここで説明は繰り返さない。
【００５５】
本発明の実施例は、ハンドルアセンブリを含む吻合器をさらに提供する。吻合器が発射可能な位置に到達していない場合、第１ハンドルが第２ハンドルを駆動することがないので、吻合器を発射することもなく、医師は、操作体験を通じて発射状態を判断することもでき、吻合器が発射可能な位置に到達してこそ、第１ハンドルの移動によって第２ハンドルを移動させ、さらに吻合器を発射する。これにより、吻合器が誤発射されることを回避する上で、吻合器のハウジングの破断を回避する。
【００５６】
本発明に提供されるハンドルアセンブリ及びそれを含む吻合器は、以下の利点を有する。
【００５７】
本発明は、ハンドルアセンブリを第１ハンドルと第２ハンドルとに分割することにより、第２ハンドルの移動によってこそ、吻合器を発射して切断及び縫合動作を実行することができる。使用の過程において、吻合器が発射可能な位置に到達したかどうかに関係なく、医師は、第１ハンドルを押すことができるが、吻合器が発射可能な位置に到達していない場合、第１ハンドルが第２ハンドルを駆動することがないので、吻合器を発射することもなく、医師は、操作体験を通じて発射状態を判断することもでき、吻合器が発射可能な位置に到達してこそ、第１ハンドルの移動によって第２ハンドルを移動させ、さらに吻合器を発射し、これにより、ハンドルを強く押すことによる吻合器の損傷を回避するとともに、医師の使用体験を向上させることができる。
【００５８】
以上は、具体的な好ましい実施形態を組み合わせて本発明をさらに詳細的に説明し、本発明の具体的な実施はこれらの説明のみに限定されると認定することはできない。当業者にとって、本発明の構想から逸脱しない範囲において種々の単純な推論又は置換を行うこともでき、それらのすべては、本発明の保護範囲内のものに該当すると、見なされるべきである。
【図１】
2021506516.tif 000003
【図２】
2021506516.tif 000004
【図３】
2021506516.tif 000005
【図４】
2021506516.tif 000006
【図５】
2021506516.tif 000007
【図６】
2021506516.tif 000008
【図７】
2021506516.tif 000009
【図８】
2021506516.tif 000010
【図９】
2021506516.tif 000011
【図１０】
2021506516.tif 000012
【図１１】
2021506516.tif 000013
【図１２】
2021506516.tif 000014
【図１３】
2021506516.tif 000015
【図１４】
2021506516.tif 000016
【図１５】
2021506516.tif 000017
【図１６】
2021506516.tif 000018
【図１７】
2021506516.tif 000019
【図１８】
2021506516.tif 000020
【図１９】
2021506516.tif 000021
【図２０】
2021506516.tif 000022
【図２１】
2021506516.tif 000023
【国際調査報告】
2021506516.tif 000024
2021506516.tif 000025
2021506516.tif 000026
2021506516.tif 000027
2021506516.tif 000028